(57)【要約】ＩＳＣＰ（interference signal code power）値が、ＴＤＭＡ（time division multiple access）／ＣＤＭＡ（code division multiple access）通信システムにおいて、推定される。特定のタイムスロットにおいて伝送された信号が受信される。この受信された信号のパワーレベルが測定される。ＩＳＣＰ値と、測定されたパワーレベルとが関係付けされている。この測定されたパワーレベルは、ＩＳＣＰ値を推定するために用いられる。この推定されたＩＳＣＰ値は、この測定されたパワーレベルと関係付けされる。
2005531257.tif 000002
【特許請求の範囲】
【請求項１】
ハイブリッドＴＤＭＡ（time division multiple access）／ＣＤＭＡ（code division multiple access）通信システムにおけるレシーバのＩＳＣＰ（interference signal code power）値を推定する方法において、
特定のタイムスロットにおいて伝送された信号を受信する受信ステップと、
該受信ステップにおいて受信した信号を測定する測定ステップと、
該測定ステップにおいて測定したパワーレベルをＩＳＣＰ値と関係付けをする関係付ステップと、
ＩＳＣＰ値を推定するため、前記測定されたパワーレベルを用いるステップであって、推定したＩＳＣＰ値を前記測定したパワーレベルと関係付けをするステップと、
を備えたことを特徴とする方法。
【請求項２】
請求項１において、前記測定したパワーレベルは、前記受信した信号のミッドアンブルを処理するＡＧＣ装置のＡＧＣ（automatic gain control）値であることを特徴とする方法。
【請求項３】
請求項１において、前記関係付けは、前に測定されたＩＳＣＰ値との間で行われることを特徴とする方法。
【請求項４】
請求項１において、 前記関係付けは、前記レシーバを種々のＩＳＣＰ値で試験した結果との間で行われることを特徴とする方法。
【請求項５】
請求項２において、前記関係付けは、前記レシーバのＡＧＣ値とＩＳＣＰ値とを関係付けするモデルに基くものであることを特徴とする方法。
【請求項６】
請求項１において、ＩＳＣＰ値の推定は、受信されたＳＣＰ（signal code power）と、レシーバの温度と、ミッドアンブル伝送時のＲＦ（radio frequency）と、レシーバの位置と、のうちの少なくとも１つを用いて行われることを特徴とする方法。
【請求項７】
ワイヤレスハイブリッドＴＤＭＡ（time division multiple access）／ＣＤＭＡ（code division multiple access）フォーマットで、特定タイムスロットにおいて、伝送された信号を受信するアンテナと、
該アンテナにより受信された信号のパワーレベルを測定するパワー測定装置と、
ＩＳＣＰ（interference signal code power）値と、測定されたパワーレベルと、を関係付けするためのルックアップテーブルと、
ＩＳＣＰ値を推定するため、前記測定されたパワーレベルを用いるローパワーＩＳＣＰ計算装置であって、推定されたＩＳＣＰ値が前記測定されたパワーレベルと関係付けされるローパワーＩＳＣＰ計算装置と、
を備えたことを特徴とするＵＥ。
【請求項８】
請求項７において、前記ローパワー測定装置は、ＡＧＣ（automatic gain control）であり、前記測定されたパワーレベルは、ＡＧＣ制御値であることを特徴とするＵＥ。
【請求項９】
請求項７において、前記関係付けは、ＩＳＣＰ計算装置により前に測定されたＩＳＣＰ値との間で行われることを特徴とするＵＥ。
【請求項１０】
請求項８において、前記アンテナにより受信された信号のミッドアンブルを処理するミッドアンブル処理装置をさらに備え、
前記ローパワーＩＳＣＰ計算装置は、前記ミッドアンブル処理装置の出力を用いてＩＳＣＰを測定する
ことを特徴とするＵＥ。
【請求項１１】
請求項７において、前記関係付けは、前記レシーバを種々のＩＳＣＰ値で試験した結果との間で行われることを特徴とするＵＥ。
【請求項１２】
請求項７において、前記ローパワーＩＳＣＰ計算装置は、受信ＳＣＰ（signal code power）と、レシーバの温度と、ミッドアンブル伝送時のＲＦ（radio frequency）と、レシーバの位置と、のうちの少なくとも１つを用いて、前記ＩＳＣＰ値を推定することを特徴とするＵＥ。
【請求項１３】
ワイヤレスハイブリッドＴＤＭＡ（time division multiple access）／ＣＤＭＡ（code division multiple access）フォーマットで、特定のタイムスロットにおいて伝送された信号を受信するアンテナと、
該アンテナにより受信された信号のパワーレベルを測定するパワー測定装置と、
ＩＳＣＰ（interference signal code power）値と、測定されたパワーレベルと、を関係付けするためのルックアップテーブルと、
ＩＳＣＰ値を推定するため、前記測定されたパワーレベルを用いるローパワーＩＳＣＰ計算装置であって、推定されたＩＳＣＰ値が前記測定されたパワーレベルと関係付けされるローパワーＩＳＣＰ計算装置と、
を備えたことを特徴とするＢＳ。
【請求項１４】
請求項１３において、前記ローパワー測定装置は、ＡＧＣ（automatic gain control）であり、前記測定されたパワーレベルは、ＡＧＣ制御値であることを特徴とするＢＳ。
【請求項１５】
請求項１３において、前記関係付けは、ＩＳＣＰ計算装置により前に測定されたＩＳＣＰ値との間で行われることを特徴とするＢＳ。
【請求項１６】
請求項１４において、前記アンテナにより受信された信号のミッドアンブルを処理するミッドアンブル処理装置をさらに備え、
前記ローパワーＩＳＣＰ計算装置は、前記ミッドアンブル処理装置の出力を用いてＩＳＣＰを測定する
ことを特徴とするＢＳ。
【請求項１７】
請求項１３において、前記関係付けは、前記レシーバを種々のＩＳＣＰ値で試験した結果との間で行われることを特徴とするＢＳ。
【請求項１８】
請求項１３において、前記ローパワーＩＳＣＰ計算装置は、受信ＳＣＰ（signal code power）と、レシーバの温度と、ミッドアンブル伝送時のＲＦ（radio frequency）と、レシーバの位置と、のうちの少なくとも１つを用いて、前記ＩＳＣＰ値を推定することを特徴とするＢＳ。
【発明の詳細な説明】
【技術分野】
【０００１】
本発明は、ワイヤレスハイブリッドＴＤＭＡ（time division multiple access）／ＣＤＭＡ（code division multiple access）通信システムに関する。特に、本発明は、このシステムにおけるＩＳＣＰ（interference signal code power）の測定に関する。
【背景技術】
【０００２】
ハイブリッドＴＤＭＡ／ＣＤＭＡ、例えば、ＴＤＤ（time division duplex ）／ＣＤＭＡ、又はＴＤ−ＳＣＤＭＡ（time division synchronous code division multiple access ）ワイヤレス通信システムにおいて通常用いられる測定値は、ＩＳＣＰである。この測定値には、当該システムユーザに対する、タイムスロット及びチャネル割り当てのような多くのアプリケーションがある。
【０００３】
図１はＲＦレシーバ３０のＩＳＣＰ測定装置を示す図である。ＡＧＣ（automatic gain control）１２をセトル（settle）させるため、ＡＧＣ１２は、通信バーストのミッドアンブル部のわずか前にターンオンされる。このわずか前とは、典型的には、当該ミッドアンブル前の５０チップの期間である。ミッドアンブルとは、周知のトレイニングシーケンス（training sequence）を含む通信バーストの一部をいう。
【０００４】
このミッドアンブルは、アンテナ１０又はアンテナアレイによって受信される。ＡＧＣ１２は、アンテナ１０により受信されたＲＦ信号のパワーレベルを正規化する。サンプリング装置１４は、この正規化された信号をチップレートで、又は当該チップレートの倍数のチップレートで、サンプリングする。ミッドアンブル処理装置１６は、このサンプリングされた信号を、レシーバ３０のミッドアンブルコードと関係付けされたコードで、処理する。この処理により得られた情報と、ＡＧＣ１２の（ＡＧＣゲインを表す）制御値とを用いて、ＩＳＣＰ計算装置１８は、ＩＳＣＰ値を決定する。
【０００５】
このようなＩＳＣＰの測定には処理パワーを必要とするから、この点が欠点となっている。ミッドアンブルの処理とＩＳＣＰの計算とには、大きな処理パワーとレシーバとをオンタイム（on time）で必要になる。この点を解消すると、ＵＥ（user equipment）のパワー消費が軽減され、したがって、バッテリパワー消費が軽減される。バッテリのパワー消費が軽減されると、ＵＥのバッテリ寿命が延びることになる。
【０００６】
したがって、ＩＳＣＰを他のアプローチにより計算することが望ましい。
【発明の開示】
【課題を解決するための手段】
【０００７】
ＩＳＣＰ測定値は、ＴＤＭＡ（time division multiple access）／ＣＤＭＡ（code division multiple access）通信システムにおいて、推定される。特定のタイムスロットにおいて伝送された信号が受信される。この受信された信号のパワーレベルが測定される。実測パワーレベルとＩＳＣＰ値とが関係付けされている。この測定されたパワーレベルは、ＩＳＣＰ値を推定するために用いられる。推定されたＩＳＣＰ値は、この測定されたパワーレベルと関係付けされる。
【発明を実施するための最良の形態】
【０００８】
図２Ａ及び２Ｂは、レシーバ３０のローパワーＩＳＣＰ測定装置を示す。このローパワーＩＳＣＰ測定装置は、ＵＥ（user equipment）、ＢＳ（base station）、又は、ＵＥ及びＢＳにおいて用いることができる。バッテリパワー消費を軽減させるためには、ＵＥにおいて用いるのが好ましい。
【０００９】
当該ＩＳＣＰを決定するためには、ミッドアンブル全体を処理せずに、当該ローパワーＩＳＣＰ測定装置は、主に、ＩＳＣＰ計算において、当該タイムスロットのパワー測定値を用いている。図２Ａに示すように、パワー測定値は、ＡＧＣ１２の制御値である。ＡＧＣ制御値のみを用いることにより、レシーバ３０は、ＡＧＣ１２がセトルするまでオペレートすればよく、これにより、当該レシーバの必要とする処理パワーを軽減させることができる。
【００１０】
このミッドアンブルは、レシーバ３０のアンテナ又はアンテナアレイによって受信される。ＡＧＣ１２は、受信ＲＦ信号のパワーレベルを正規化する。ＡＧＣ１２の制御値のみが必要であるから、ＡＧＣ１２は、このミッドアンブルを受信する前に、セトルする必要はない。ＡＧＣ１２は、当該ミッドアンブル前か、又は当該ミッドアンブル期間において、ターンオンさせることができるが、当該ミッドアンブル期間の始期においてスタートさせるのが好ましい。ＡＧＣ１２がセトルすると、当該レシーバは、パワー消費を低減させるため、ターンオフされる。典型的なＡＧＣ１２は、約５０チップ後にセトルするが、レシーバ１２、１４、１６は、短期間の間、オンしている。このため、ＵＥのバッテリ寿命が延びることになる。セトルしたＡＧＣ１２の制御値は、ローパワーＩＳＣＰ計算装置２０に送信される。ローパワーＩＳＣＰ計算装置２０は、当該制御値を用いて、ＩＳＣＰ測定値を決定する。
【００１１】
あるいはまた、図２Ｂに示すが、このパワー測定値はパワー測定装置１３によって測定される。当該タイムスロットにおける伝送信号は、レシーバ３０のアンテナ１０又はアンテナアレイによって受信される。
【００１２】
パワー測定装置１３は伝送信号のパワーレベルを測定する。パワー測定値を用いて、ＩＳＣＰ計算装置２０はＩＳＣＰ推定値を決定する。
【００１３】
当該制御値とＩＳＣＰ値とを関係付ける１つのアプローチは、固定された処理パフォーマンスの推定である。ＡＧＣの機能が典型的なものであるとした場合において、ＩＳＣＰ値とＡＧＣ制御値とを関係付けるテーブルは、ＩＳＣＰ推定値を生成するため、用いられる。あるいはまた、パワー測定値に関しては、ＩＳＣＰ値とパワー測定値とが関係付けられたテーブルが、ＩＳＣＰ推定値を生成するため、用いられる。決定されたＩＳＣＰ値の精度をさらに上げるため、追加の変数をルックアップテーブル２２に組み入れることができる。これら変数には、受信されたＲＳＣＰと、当該レシーバの温度と、当該測定時のＲＦ（radio frequency）と、例えばアクティブセル内か又はＰＳＴＮ（public service telephone network）内の（ＵＥの）レシーバの位置と、が含まれている。ルックアップテーブル２２は、これら変数を組み合わせたものとすることができる。
【００１４】
ルックアップテーブル２２は、当該レシーバ自体のパフォーマンスにより取り出すことができる。各ＵＥか又は各ＢＳを試験することができ、しかも、種々のＩＳＣＰ値に対するゲイン制御値又はパワー測定値が決定される。ルックアップテーブル２２はこの試験結果に基き生成される。ルックアップテーブル２２の変数としては、当該ＡＧＣ制御値又は当該パワー測定値に加えて、次のものを変数とすることができる。すなわち、ルックアップテーブル２２には、ＲＳＣＰと、当該レシーバの温度と、当該測定を行ったときのＲＦと、例えばアクティブセル内か又はＰＳＴＮ内の（ＵＥの）レシーバの位置と、これらの変数を組み合わせたものと、が含まれている。
【００１５】
当該ＩＳＣＰ値を推定する別のアプローチは、図３Ａ及び３Ｂに示すようなダイナミックな推定である。図２Ａ及び２Ｂに関連して既に説明したが、当該レシーバは、サンプリング装置１４と、ミッドアンブル処理装置１６と、ＩＳＣＰ計算装置１８とを用いて、ＩＳＣＰ値を取得することもある。当該ＡＧＣ制御値又はパワー測定値は、ＩＳＣＰ計算値と共に、ローパワーＩＳＣＰ計算装置２６に接続されているメモリ２４に、ストアされる。ミッドアンブル処理をせずに、ＡＧＣパワー測定値を用いてＩＳＣＰ推定値を取り出すため、これら測定値を用いてローパワーＩＳＣＰ計算装置により将来のＩＳＣＰ値の推定を行う。当該ＡＧＣパワー測定値を用いて、ＩＳＣＰ推定値を、前に測定された値から取得することができる。当該前に測定された値は、当該タイムスロットか、又は全てのタイムスロットに対する前の値とすることができる。あるいはまた、これらタイムスロットをグループ化することができ、１つのグループの任意のタイムスロットは、当該グループの別のタイムスロットのために用いることができる。欠けている値を補間することができる。ストアされた値の精度を高めるため、例えば、特定のタイムスロットにおいてスライディング平均又はブロック平均を用いることにより、幾つかのストアされた測定値を組み合わせて、１つの蓄積された測定値とすることができる。
【００１６】
この好ましいインプリメンテーションにおいては、実測値を推定値で周期的にインタレースしている。このインプリメンテーションによれば、精度とパワー消費との間にトレードオフがある。１つのアプローチにおいては、３つのＩＳＣＰ推定値に対して１つの実測値をとる。
【００１７】
ストアされた測定値の信頼性を高めるため、当該測定値を、他の変数、例えば、ＲＳＣＰと、当該レシーバの温度と、当該測定を行ったときのＲＦと、例えばアクティブセル内か又はＰＳＴＮ内の（ＵＥの）レシーバの位置と、これらインデックスを組み合わせたものと、によってインデックス付けすることができる。当該測定ＡＧＣ制御値の推定ＩＳＣＰは、インデックス付けされたクリテリアに基き選択することができる。
【００１８】
当該メモリにおいて初期値を生成するため、レシーバ３０は、ある期間における実測値を蓄積することができる。当該期間が経過した後、レシーバ３０は、インタリーブされた周期的なアプローチに切り換えられる。あるいはまた、メモリ２４は、典型的な条件の下において当該レシーバの予測されるパフォーマンスに基いて、最初、ＩＳＣＰ推定値で満たされる。繰り返し、これらインタリーブされたＩＳＣＰ測定値は、当該予測値と置換することができる。
【図面の簡単な説明】
【００１９】
【図１】ＩＳＣＰ値を生成するレシーバを示すブロック図である。
【図２Ａ】ローパワーＩＳＣＰ値を生成するレシーバを示すブロック図である。
【図２Ｂ】ローパワーＩＳＣＰ値を生成するレシーバを示すブロック図である。
【図３Ａ】ＩＳＣＰ推定値を生成するためＩＳＣＰ値を用いるレシーバを示すブロック図である。
【図３Ｂ】ＩＳＣＰ推定値を生成するためＩＳＣＰ値を用いるレシーバを示すブロック図である。
【図１】
2005531257.tif 000003
【図２Ａ】
2005531257.tif 000004
【図２Ｂ】
2005531257.tif 000005
【図３Ａ】
2005531257.tif 000006
【図３Ｂ】
2005531257.tif 000007
【国際調査報告】
2005531257.tif 000008